【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
少なくとも一種の粘着付与剤、少なくとも一種のエチレン系不飽和モノマー、少なくとも一種の界面活性剤及び水を含む混合物を剪断させてミニエマルジョンを生成せしめ、そしてそのミニエマルジョンを、開始剤の存在下に、重合させて水性組成物を製造する水性組成物の製造方法。
【請求項２】
前記粘着付与剤がロジン、ロジン誘導体、ロジンエステル、炭化水素樹脂、合成ポリテルペン及び天然テルペンからなる群から選ばれた少なくとも一種である請求項１に記載の方法。
【請求項３】
前記粘着付与剤が天然及び変性ロジン並びにそれらの水素化誘導体；天然及び変性ロジンのエステル並びにそれらの水素化誘導体；ポリテルペン樹脂及び水素化ポリテルペン樹脂；脂肪族石油炭化水素樹脂及びその水素化誘導体；芳香族炭化水素樹脂及びその水素化誘導体；並びに脂環族炭化水素樹脂及びその水素化誘導体からなる群から選ばれた少なくとも一種である請求項２に記載の方法。
【請求項４】
前記粘着付与剤がロジン、ロジン誘導体、ロジンエステル及び炭化水素樹脂からなる群から選ばれた少なくとも一種である請求項１に記載の方法。
【請求項５】
前記粘着付与剤が天然及び変性ロジン並びにそれらの水素化誘導体；天然及び変性ロジンのエステル並びにそれらの水素化誘導体；脂肪族石油炭化水素樹脂及びその水素化誘導体；芳香族炭化水素樹脂及びその水素化誘導体；並びに脂環族炭化水素樹脂及びその水素化誘導体からなる群から選ばれた少なくとも一種である請求項４に記載の方法。
【請求項６】
前記天然及び変性ロジン並びにそれらの水素化誘導体がガムロジン、ウッドロジン、トール油ロジン、蒸留ロジン、水素化ロジン、ダイマー化ロジン及び重合ロジンからなる群から選ばれたものである請求項３又は５に記載の方法。
【請求項７】
前記天然及び変性ロジン並びにそれらの水素化誘導体がロジンのグリセリンエステル、水素化ロジンのグリセリンエステル、重合ロジンのグリセリンエステル及び水素化ロジンのペンタエリスリトールエステルからなる群から選ばれたものである請求項３又は５に記載の方法。
【請求項８】
前記ポリテルペン樹脂及び水素化ポリテルペン樹脂が８０℃〜１５０℃の軟化点を有する請求項３に記載の方法。
【請求項９】
前記脂肪族石油炭化水素樹脂及びその水素化誘導体が７０〜１３５℃の環球軟化点を有する請求項３又は６に記載の方法。
【請求項１０】
前記芳香族炭化水素樹脂がスチレン、α−メチルスチレン及びビニルトルエン並びにそれらの水素化誘導体からなる群から選ばれたものである請求項３に記載の方法。
【請求項１１】
前記脂環族炭化水素樹脂がモノマーとしてジシクロペンタジエンを含む炭化水素混合物を用いて製造される請求項３又は５に記載の方法。
【請求項１２】
前記エチレン系不飽和モノマーがスチレン系モノマー、エチレン系不飽和化合物及び窒素含有化合物からなる群から選ばれた少なくとも一種である請求項１に記載の方法。
【請求項１３】
前記スチレン系モノマーがスチレン、α−メチルスチレン、ビニルナフタレン、ビニルトルエン及びクロロメチルスチレンからなる群から選ばれた少なくとも一種である請求項１２に記載の方法。
【請求項１４】
前記エチレン系不飽和化合物がメチルアクリレート、アクリル酸、メタクリル酸、メチルメタクリレート、エチルアクリレート、エチルメタクリレート、ブチルアクリレート、ブチルメタクリレート、イソブチルアクリレート、イソブチルメタクリレート、エチルヘキシルアクリレート、エチルヘキシルメタクリレート、オクチルアクリレート、オクチルメタクリレート、ラウリルメタクリレート、ラウリルアクリレート、グリシジルメタクリレート、アルキルクロトネート、酢酸ビニル、ジ−ｎ−ブチルマレエート、ジ−オクチルマレエート、アセトアセトキシエチルメタクリレート、ジアセトンアクリルアミド、アクリルアミド、メタクリルアミド、ヒドロキシエチルメタクリレート、ヒドロキシエチルアクリレート及びアクリロニトリルからなる群から選ばれた少なくとも一種である請求項１２に記載の方法。
【請求項１５】
前記窒素含有モノマーがｔ−ブチルアミノエチルメタクリレート、ジメチルアミノエチルメタクリレート、ジエチルアミノエチルメタクリレート、Ｎ，Ｎ−ジメチルアミノプロピルメタクリルアミド、２−ｔ−ブチルアミノエチルメタクリレート、Ｎ，Ｎ−ジメチルアミノエチルアクリレート、Ｎ−（２−メタクリロイルオキシ−エチル）エチレンウレア及びメタクリルアミドエチレンウレアからなる群から選ばれた少なくとも一種である請求項１２に記載の方法。
【請求項１６】
前記界面活性剤がアニオン界面活性剤及びノニオン界面活性剤からなる群から選ばれた少なくとも１種である請求項１に記載の方法。
【請求項１７】
前記界面活性剤がアルカリアルキルサルフェート、アンモニウムアルキルサルフェート、アルキルスルホン酸、脂肪族、オキシエチル化アルキルフェノール及びスルホスクシネート並びにそれらの誘導体からなる群から選ばれた少なくとも１種である請求項１６に記載の方法。
【請求項１８】
前記界面活性剤が少なくとも１種の重合性界面活性剤である請求項１６に記載の方法。
【請求項１９】
前記水性組成物の粘着付与剤部分が水性組成物の全固形分の１〜４０重量％である請求項１に記載の方法。
【請求項２０】
前記水性組成物の粘着付与剤部分が水性組成物の全固形分の２〜３０重量％である請求項１９に記載の方法。
【請求項２１】
前記水性組成物の粘着付与剤部分が水性組成物の全固形分の４〜２０重量％である請求項２０に記載の方法。
【請求項２２】
前記エチレン系不飽和モノマーからのポリマーが水性組成物の全固形分の６０〜９９重量％である請求項１に記載の方法。
【請求項２３】
前記エチレン系不飽和モノマーからのポリマーが水性組成物の全固形分の７０〜９８重量％である請求項２２に記載の方法。
【請求項２４】
前記エチレン系不飽和モノマーからのポリマーが水性組成物の全固形分の８０〜９６重量％である請求項２３に記載の方法。
【請求項２５】
前記界面活性剤が水性組成物の全固形分の０．１５〜８重量％である請求項１に記載の方法。
【請求項２６】
前記界面活性剤が水性組成物の全固形分の０．５〜２重量％である請求項２５に記載の方法。
【請求項２７】
前記粘着付与剤を少なくとも一種のエチレン系不飽和モノマーに溶解させる粘着付与剤／モノマー混合物を形成させ、そして次に、この粘着付与剤／モノマー混合物を界面活性剤及び水を含む水性媒体中に分散させて混合物を生成せしめる請求項１に記載の方法。
【請求項２８】
前記混合物がゴム化合物を更に含む請求項１に記載の方法。
【請求項２９】
前記剪断を高剪断装置を用いて実施して５０〜５００nmのサイズの小滴を形成させてミニエマルジョンを生成せしめる請求項１に記載の方法。
【請求項３０】
前記開始剤が過硫酸アンモニウム、過硫酸アルカリ、過酸化水素、ｔ−ブチルヒドロペルオキシド、ジ−ベンゾイルペルオキシド、ラウリルペルオキシド、ジ−ｔｅｒｔブチルペルオキシド、２，２−アゾビスイソブチロニトリル及びベンゾイルペルオキシドからなる群から選ばれた少なくとも一種である請求項１に記載の方法。
【請求項３１】
前記混合物が少なくとも１種の還元剤を更に含む請求項１に記載の方法。
【請求項３２】
前記還元剤が重亜硫酸ナトリウム、ヒドロ亜硫酸ナトリウム、ナトリウムホルムアルデヒドスルホキシレート、アスコルビン酸及びイソアスコルビン酸からなる群から選ばれた少なくとも１種である請求項３１に記載の方法。
【請求項３３】
前記混合物が少なくとも１種の触媒を更に含む請求項３１に記載の方法。
【請求項３４】
前記触媒が少なくとも１種の遷移金属化合物である請求項３３に記載の方法。
【請求項３５】
前記触媒が硫酸第一鉄７水塩又は塩化第一鉄又は硫酸第一鉄７水塩と塩化第一鉄のキレート形及びこれらの混合物である請求項３４に記載の方法。
【請求項３６】
請求項１の方法によって製造された水性組成物。
【請求項３７】
請求項２７の方法によって製造された水性組成物。
【請求項３８】
請求項３６の水性組成物を含む接着剤。
【請求項３９】
感圧接着剤、被覆及び積層体を生成させるのに前記接着剤を利用する請求項３８に記載の接着剤。
【請求項４０】
前記水性組成物を下地に被覆することによって前記接着剤を生成せしめる請求項３８に記載の接着剤。
【請求項４１】
ロール被覆、カーテン被覆、グラビヤ印刷及びスロットダイ被覆からなる群から選ばれる方法によって、前記水性組成物を前記下地に被覆する請求項４０に記載の接着剤。
【請求項４２】
前記下地が紙、ポリオレフィンフィルム、金属、ガラス、ウレタンエラストマー、下塗りした（ペイントした）下地及びポリエステルからなる群から選ばれる請求項４０に記載の接着剤。
【請求項４３】
後添加粘着付与分散剤、可塑剤、溶剤、脱泡剤、中和剤、保恒剤及び界面活性剤からなる群から選ばれた少なくとも一種の化合物を更に含む請求項３８に記載の接着剤。
【請求項４４】
請求項１の水性組成物を含む被覆。
【請求項４５】
請求項１の水性組成物を含む積層体。
【請求項４６】
請求項１の水性組成物を含む物品。